(57)【特許請求の範囲】
【請求項１】
荷物を収容した運搬容器に上方から被せられる防水カバーを支持するためのカバー支持具であって、
前記運搬容器の上部に配される底部と、前記底部の上側に設けられて前記防水カバーを天井面部が上方に膨らむように支持する支持部と、を備え、
前記支持部は、前記防水カバーを支持する上方に突出した突出状態と、上方に突出しない非突出状態と、に変更可能であり、
前記底部には、折り畳まれた前記防水カバーを収容可能な収容空間が形成されていることを特徴とするカバー支持具。
【請求項２】
前記支持部は、一端側が前記底部に折曲可能に接続された第１支持板と、一端側が前記底部又は前記第１支持板に折曲可能に接続された第２支持板と、を備え、前記第１支持板及び前記第２支持板が縦断面略逆Ｖ字状に組み立てられることで前記支持部が前記突出状態とされ、前記第１支持板及び前記第２支持板が前記底部上で平面状に重ね合わされることで前記支持部が前記非突出状態とされる請求項１記載のカバー支持具。
【請求項３】
前記第１支持板及び前記第２支持板の各一端側は、前記底部に接続され、前記第１支持板の先端側には、係止部が形成され、前記第２支持板の先端側には、前記係止部を係止する被係止部が形成されており、前記係止部及び前記被係止部の係止により前記支持部が前記突出状態とされ、前記係止部及び前記被係止部の係止解除により前記支持部が前記非突出状態とされる請求項２記載のカバー支持具。
【請求項４】
前記係止部は、前記第１支持板の先端側に突出する係止突片であり、前記被係止部は、前記係止突片が挿通して係止される係止孔である請求項３記載のカバー支持具。
【請求項５】
前記第２支持板の前記係止孔より接続端寄り側には、前記係止突片が挿通して係止される副係止孔が形成されている請求項４記載のカバー支持具。
【請求項６】
前記底部内には、折り畳まれた前記防水カバーを収容可能な内箱が収容されており、前記底部は、前記内箱を介して前記運搬容器内の荷物上に載置可能である請求項１乃至５のいずれか一項に記載のカバー支持具。
【請求項７】
前記底部には、前記運搬容器を構成する上枠に係合可能な係合部が設けられている請求項１乃至６のいずれか一項に記載のカバー支持具。
【請求項８】
樹脂製段ボール又は紙製段ボールからなる請求項１乃至７のいずれか一項に記載のカバー支持具。
【請求項９】
荷物が収容された運搬容器と、
前記運搬容器の上部に配された請求項１乃至８のいずれか一項に記載のカバー支持具と、
前記運搬容器に上方から被せられた防水カバーと、を備え、
前記カバー支持具の前記支持部は、前記突出状態とされていることを特徴とする荷物防水構造物。
【請求項１０】
請求項１乃至８のいずれか一項に記載のカバー支持具を用いる荷物運搬方法であって、
荷物の運搬前に、運搬容器の上部に、前記支持部が前記突出状態とされた前記カバー支持具を配し、前記運搬容器に上方から防水カバーを被せ、
荷物の運搬後に、前記運搬容器から取り外された前記防水カバーを折り畳んで前記カバー支持具の前記底部内に収容するとともに、前記運搬容器から取り外された前記カバー支持具の前記支持部を前記非突出状態とすることを特徴とする荷物運搬方法。
【発明の詳細な説明】
【技術分野】
【０００１】
本発明は、カバー支持具、荷物防水構造物及び荷物運搬方法に関し、さらに詳しくは、荷物を収容した運搬容器に上方から被せられる防水カバーを支持するためのカバー支持具、これを備える荷物防水構造物及びこれを用いる荷物運搬方法に関する。
【背景技術】
【０００２】
従来の荷物防水構造物として、運搬容器（例えば、網かご、通い箱等）内に収容された荷物の上側にカバー支持具が配され、運搬容器に上方から防水カバーが被せられ、カバー支持具により防水カバーを天井面部が上方に膨らむように支持してなるものが知られている（例えば、特許文献１参照）。このように、防水カバーの天井面部を上方へ膨らませることで、防水カバーの天井面部に雨水が溜りにくく、運搬容器から防水カバーを取り外す際に運搬容器内の荷物に雨水がかかることを抑制できる。上記特許文献１には、湾曲状の板バネからなるカバー支持具を採用することが開示されている。
【先行技術文献】
【特許文献】
【０００３】
【特許文献１】特開２００５−８２２０７号公報
【発明の概要】
【発明が解決しようとする課題】
【０００４】
しかし、上記従来の荷物防水構造物では、カバー支持具は、湾曲状の板バネからなり、比較的大きなサイズであるので、運搬容器から取り外されたカバー支持具の保管性及び運搬性が低いものであった。さらに、運搬容器から取り外された防水カバーも保管性及び運搬性が低いものであった。
【０００５】
本発明は、上記現状に鑑みてなされたものであり、使用時に防水カバーの天井面部に雨水が溜ることを抑制できるとともに、防水カバーとともに非使用時の保管性及び運搬性に優れたカバー支持具、これを備える荷物防水構造物及びこれを用いる荷物搬送方法を提供することを目的とする。
【課題を解決するための手段】
【０００６】
上記問題を解決するために、請求項１に記載の発明は、荷物を収容した運搬容器に上方から被せられる防水カバーを支持するためのカバー支持具であって、前記運搬容器の上部に配される底部と、前記底部の上側に設けられて前記防水カバーを天井面部が上方に膨らむように支持する支持部と、を備え、前記支持部は、前記防水カバーを支持する上方に突出した突出状態と、上方に突出しない非突出状態と、に変更可能であり、前記底部には、折り畳まれた前記防水カバーを収容可能な収容空間が形成されていることを要旨とする。
請求項２に記載の発明は、請求項１記載の発明において、前記支持部は、一端側が前記底部に折曲可能に接続された第１支持板と、一端側が前記底部又は前記第１支持板に折曲可能に接続された第２支持板と、を備え、前記第１支持板及び前記第２支持板が縦断面略逆Ｖ字状に組み立てられることで前記支持部が前記突出状態とされ、前記第１支持板及び前記第２支持板が前記底部上で平面状に重ね合わされることで前記支持部が前記非突出状態とされることを要旨とする。
請求項３に記載の発明は、請求項２記載の発明において、前記第１支持板及び前記第２支持板の各一端側は、前記底部に接続され、前記第１支持板の先端側には、係止部が形成され、前記第２支持板の先端側には、前記係止部を係止する被係止部が形成されており、前記係止部及び前記被係止部の係止により前記支持部が前記突出状態とされ、前記係止部及び前記被係止部の係止解除により前記支持部が前記非突出状態とされることを要旨とする。
請求項４に記載の発明は、請求項３記載の発明において、前記係止部は、前記第１支持板の先端側に突出する係止突片であり、前記被係止部は、前記係止突片が挿通して係止される係止孔であることを要旨とする。
請求項５に記載の発明は、請求項４記載の発明において、前記第２支持板の前記係止孔より接続端寄り側には、前記係止突片が挿通して係止される副係止孔が形成されていることを要旨とする。
請求項６に記載の発明は、請求項１乃至５のいずれか一項に記載の発明において、前記底部内には、折り畳まれた前記防水カバーを収容可能な内箱が収容されており、前記底部は、前記内箱を介して前記運搬容器内の荷物上に載置可能であることを要旨とする。
請求項７に記載の発明は、請求項１乃至６のいずれか一項に記載の発明において、前記底部には、前記運搬容器を構成する上枠に係合可能な係合部が設けられていることを要旨とする。
請求項８に記載の発明は、請求項１乃至７のいずれか一項に記載の発明において、樹脂製段ボール又は紙製段ボールからなることを要旨とする。
【０００７】
請求項９に記載の発明は、荷物防水構造物であって、荷物が収容された運搬容器と、前記運搬容器の上部に配された請求項１乃至８のいずれか一項に記載のカバー支持具と、前記運搬容器に上方から被せられた防水カバーと、を備え、前記カバー支持具の前記支持部は、前記突出状態とされていることを要旨とする。
【０００８】
請求項１０に記載の発明は、請求項１乃至８のいずれか一項に記載のカバー支持具を用いる荷物運搬方法であって、荷物の運搬前に、運搬容器の上部に、前記支持部が前記突出状態とされた前記カバー支持具を配し、前記運搬容器に上方から防水カバーを被せ、荷物の運搬後に、前記運搬容器から取り外された前記防水カバーを折り畳んで前記カバー支持具の前記底部内に収容するとともに、前記運搬容器から取り外された前記カバー支持具の前記支持部を前記非突出状態とすることを要旨とする。
【発明の効果】
【０００９】
本発明のカバー支持具によると、運搬容器の上部に配される底部と、底部の上側に設けられて防水カバーを天井面部が上方に膨らむように支持する支持部と、を備え、支持部は、防水カバーを支持する上方に突出した突出状態と、上方に突出しない非突出状態と、に変更可能である。そして、底部には、折り畳まれた防水カバーを収容可能な収容空間が形成されている。これにより、運搬容器にカバー支持具及び防水カバーを配して荷物防水構造物を構成する際には、突出状態の支持部により防水カバーの天井面部が上方に膨らむように支持される。よって、防水カバーの天井面部に雨水が溜りにくく、運搬容器から防水カバーを取り外す際に運搬容器内の荷物に雨水がかかることが抑制される。一方、運搬容器から取り外されたカバー支持具の支持部を非突出状態とすることで、カバー支持具の全体サイズが縮小される。よって、非使用時のカバー支持具の保管性及び運搬性が高められる。また、運搬容器から取り外された防水カバーを折り畳んで底部内に収容できるので、非使用時の防水カバーの保管性及び運搬性が高められる。
また、前記支持部が第１支持板と第２支持板とを備え、前記第１及び第２支持板が縦断面略逆Ｖ字状に組み立てられることで前記支持部が前記突出状態とされ、前記第１及び第２支持板が前記底部上で平面状に重ね合わされることで前記支持部が前記非突出状態とされる場合は、突出状態と非突出状態とに容易に変更できる簡易な構造の支持部を提供できる。また、支持部の突出状態では、第１及び第２支持板が縦断面略逆Ｖ字状に組み立てられるので、支持部の強度が高められて防水カバーを安定的に支持できる。さらに、支持部の非突出状態では、第１及び第２支持板が底部上で重ね合わされて平面状とされるので、非使用時のカバー支持具の保管性及び運搬性が更に高められる。
また、前記第１支持板及び前記第２支持板の各一端側が前記底部に接続され、前記第１支持板の先端側に係止部が形成され、前記第２支持板の先端側に被係止部が形成されており、前記係止部及び前記被係止部の係止により前記支持部が前記突出状態とされ、前記係止部及び前記被係止部の係止解除により前記支持部が前記非突出状態とされる場合は、支持部を突出状態と非突出状態とに更に容易に変更できる。
また、前記係止部が、前記第１支持板の先端側に突出する係止突片であり、前記被係止部は、前記係止突片が挿通して係止される係止孔である場合は、係止突片及び係止孔を容易に係止及び解除できる。
また、前記第２支持板の前記係止孔より接続端寄り側に、前記係止突片が挿通して係止される副係止孔が形成されている場合は、係止突片が係止される係止孔及び副係止孔を変えることで支持部の突出高さが変更される。よって、運搬容器内の荷物量に応じて、支持部の突出高さを変更して運搬容器内の荷物上に底部を載置することで、防水カバーの天井面部を最適な膨出状態として支持できる。
また、前記底部内に、折り畳まれた前記防水カバーを収容可能な内箱が収容されており、前記底部が、前記内箱を介して前記運搬容器内の荷物上に載置可能である場合は、運搬容器内の荷物量に応じて、嵩上げ用の内箱の使用の有無を選択して運搬容器内の荷物上に底部を載置することで、防水カバーの天井面部を最適な膨出状態として支持できる。
また、前記底部に、前記運搬容器を構成する上枠に係合可能な係合部が設けられている場合は、運搬容器の上枠への係合部の係合によりカバー支持具が配される。よって、運搬容器内の荷物量に関わらず、防水カバーの天井面部を最適な膨出状態として支持できる。
さらに、樹脂製段ボール又は紙製段ボールからなる場合は、軽量且つ高強度のカバー支持具を提供できる。
【００１０】
本発明の荷物防水構造物によると、荷物が収容された運搬容器と、運搬容器の上部に配された上述のカバー支持具と、運搬容器に上方から被せられた防水カバーと、を備え、カバー支持具の支持部は、突出状態とされている。これにより、運搬容器にカバー支持具及び防水カバーを配して荷物防水構造物を構成する際には、突出状態の支持部により防水カバーの天井面部が上方に膨らむように支持される。よって、防水カバーの天井面部に雨水が溜りにくく、運搬容器から防水カバーを取り外す際に運搬容器内の荷物に雨水がかかることが抑制される。一方、運搬容器から取り外されたカバー支持具の支持部を非突出状態とすることで、カバー支持具の全体サイズが縮小される。よって、非使用時のカバー支持具の保管性及び運搬性が高められる。また、運搬容器から取り外された防水カバーを折り畳んで底部内に収容できるので、カバー支持具に加えて、非使用時の防水カバーの保管性及び運搬性が高められる。
【００１１】
本発明の荷物運搬方法によると、上述のカバー支持具を用い、荷物の運搬前に、運搬容器の上部に、支持部が突出状態とされたカバー支持具を配し、運搬容器に上方から防水カバーを被せ、荷物の運搬後に、運搬容器から取り外された防水カバーを折り畳んでカバー支持具の底部内に収容するとともに、運搬容器から取り外されたカバー支持具の支持部を非突出状態とする。これにより、運搬容器にカバー支持具及び防水カバーを配して荷物防水構造物を構成する際には、突出状態の支持部により防水カバーの天井面部が上方に膨らむように支持される。よって、防水カバーの天井面部に雨水が溜りにくく、運搬容器から防水カバーを取り外す際に運搬容器内の荷物に雨水がかかることが抑制される。一方、運搬容器から取り外されたカバー支持具の支持部を非突出状態とすることで、カバー支持具の全体サイズが縮小される。よって、非使用時のカバー支持具の保管性及び運搬性が高められる。また、運搬容器から取り外された防水カバーを折り畳んで底部内に収容できるので、カバー支持具に加えて、非使用時の防水カバーの保管性及び運搬性が高められる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るカバー支持具の斜視図であり、（ａ）は支持部の突出状態を示し、（ｂ）は支持部の非突出状態を示す。
【図２】上記カバー支持具の縦断面図であり、（ａ）は図１のａ−ａ線断面を示し、（ｂ）は図１のｂ−ｂ線断面を示す。
【図３】上記カバー支持具内に収容された防水カバーを開放した状態を示す斜視図である。
【図４】実施系に係る係止突片及び係止孔を説明するための説明図であり、（ａ）は係止前の状態を示し、（ｂ）は係止後の状態を示す。
【図５】上記カバー支持具の構成部材の縦断面図であり、（ａ）は樹脂製ダンボールの構成部材を示し、（ｂ）は紙製ダンボールの構成部材を示す。
【図６】実施例に係る荷物防水構造物の斜視図である。
【図７】上記荷物防水構造物の縦断面図である。
【図８】実施例に係る荷物運搬方法を説明するための説明図であり、（ａ）はカバー支持具の保管状態を示し、（ｂ）はカバー支持具内に収容された防水カバーを開放した状態を示し、（ｃ）は支持部の突出状態を示す。
【図９】上記荷物運搬方法を説明するための説明図であり、（ａ）は運搬容器にカバー支持具及び防水カバーを配する状態を示し、（ｂ）は荷物防水構造物を示す。
【図１０】上記荷物運搬方法を説明するための説明図であり、（ａ）は運搬容器からカバー支持具及び防水カバーを取り外した状態を示し、（ｂ）は、カバー支持具内に防水カバーを収容した状態を示し、（ｃ）はカバー支持具の保管状態を示す。
【図１１】変形例１に係るカバー支持具の斜視図である。
【図１２】上記カバー支持具（支持部の突出状態）の縦断面図である。
【図１３】変形例２に係るカバー支持具（支持部の非突出状態）の縦断面図である。
【図１４】上記カバー支持具（支持部の突出状態）の縦断面図である。
【図１５】変形例３に係るカバー支持具の縦断面図である。
【図１６】更なるその他の形態に係るカバー支持具の縦断面図である。
【図１７】更なるその他の形態に係るカバー支持具の縦断面図である。
【図１８】更なるその他の形態に係るカバー支持具の斜視図である。
【図１９】その他の形態に係る係止部及び被係止部を説明するための説明図であり、（ａ）は係止前の状態を示し、（ｂ）は係止後の状態を示す。
【発明を実施するための形態】
【００１３】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
＜カバー支持具＞
本実施形態に係るカバー支持具は、荷物（７）を収容した運搬容器（６）に上方から被せられる防水カバー（５）を支持するためのカバー支持具（１、１Ａ〜１Ｃ、１ａ〜１ｃ）であって、運搬容器の上部に配される底部（２）と、底部の上側に設けられて防水カバー（５）を天井面部（５ａ）が上方に膨らむように支持する支持部（３、３’、３"）と、を備え、支持部は、防水カバーを支持する上方に突出した突出状態（Ａ）と、上方に突出しない非突出状態（Ｂ）と、に変更可能である（例えば、図１、図２、図１１〜図１９等参照）。そして、上記底部（２）には、折り畳まれた防水カバー（５）を収容可能な収容空間（Ｓ）が形成されている（例えば、図３等参照）。
【００１５】
本実施形態に係るカバー支持具としては、例えば、支持部（３、３"）は、一端側が底部（２）に折曲可能に接続された第１支持板（１１ａ）と、一端側が底部（２）又は第１支持板（１１ａ）に折曲可能に接続された第２支持板（１１ｂ）と、を備え、第１支持板及び第２支持板が縦断面略逆Ｖ字状に組み立てられることで支持部（３、３"）が突出状態（Ａ）とされ、第１支持板及び第２支持板が底部上で平面状に重ね合わされることで支持部（３、３"）が非突出状態（Ｂ）とされる形態（例えば、図１、図２及び図１７等参照）を挙げることができる。
【００１６】
上述の形態の場合、例えば、上記第１支持板（１１ａ）及び第２支持板（１１ｂ）の各一端側は、底部（２）に接続され、第１支持板の他端側（先端側）には、係止部（１２）が形成され、第２支持板の他端側（先端側）には、係止部を係止する被係止部（１３）が形成されており、係止部及び被係止部の係止により支持部（３）が突出状態（Ａ）とされ、係止部及び被係止部の係止解除により支持部（３）が非突出状態（Ｂ）とされることができる（例えば、図１及び図２等参照）。
【００１７】
上述の形態の場合、例えば、上記係止部は、第１支持板（１１ａ）の先端側に突出する係止突片（１２）であり、被係止部は、係止突片が挿通して係止される係止孔（１３）であることができる（例えば、図４等参照）。この場合、例えば、上記第２支持板（１１ｂ）の係止孔（１３）より接続端寄り側には、係止突片（１２）が挿通して係止される副係止孔（１３ａ）が形成されていることができる（例えば、図１１及び図１２等参照）。
【００１８】
本実施形態に係るカバー支持具としては、例えば、上記底部（２）内には、折り畳まれた防水カバー（５）を収容可能な内箱（２１）が収容されており、底部（２）は、内箱（２１）を介して運搬容器（６）内の荷物（７）上に載置可能である形態（例えば、図１３及び図１４等参照）を挙げることができる。
【００１９】
本実施形態に係るカバー支持具としては、例えば、上記底部（２）には、運搬容器（６）を構成する上枠（６ａ）に係合可能な係合部（２３）が設けられている形態（例えば、図１５等参照）を挙げることができる。
【００２０】
本実施形態に係るカバー支持具としては、例えば、樹脂製段ボール又は紙製段ボールからなる形態（例えば、図５等参照）を挙げることができる。
【００２１】
＜荷物防水構造物＞
本実施形態に係る荷物防水構造物は、荷物（７）が収容された運搬容器（６）と、運搬容器の上部に配された上記実施形態に係るカバー支持具（１、１Ａ〜１Ｃ、１ａ〜１ｃ）と、運搬容器に上方から被せられた防水カバー（５）と、を備え、カバー支持具の支持部（３、３’、３"）は、突出状態（Ａ）とされている（例えば、図６及び図７等参照）。
【００２２】
＜荷物運搬方法＞
本実施形態に係る荷物運搬方法は、上記実施形態に係るカバー支持具（１、１Ａ〜１Ｃ、１ａ〜１ｃ）を用いる荷物運搬方法であって、荷物の運搬前に、運搬容器（６）の上部に、支持部（３、３’、３"）が突出状態（Ａ）とされたカバー支持具を配し、運搬容器に上方から防水カバー（５）を被せ、荷物の運搬後に、運搬容器（６）から取り外された防水カバー（５）を折り畳んでカバー支持具の底部（２）内に収容するとともに、運搬容器から取り外されたカバー支持具の支持部（３、３’、３"）を非突出状態（Ｂ）とする（例えば、図８〜図１０等参照）。
【００２３】
なお、上記実施形態で記載した各構成の括弧内の符号は、後述する実施例に記載の具体的構成との対応関係を示すものである。
【実施例】
【００２４】
以下、図面を用いて実施例により本発明を具体的に説明する。なお、本実施例では、本発明に係る「運搬容器」として、上方を開放した網かごである運搬容器６（図９参照）を例示する。また、本発明に係る「防水シート」として、運搬容器６の上方開口部を覆う天井面部５ａと、この天井面部５ａの外周から延びて運搬容器６の側面を覆う側面部５ｂと、を備える防水カバー５（図９参照）を例示する。
【００２５】
（１）カバー支持具の構成
本実施例に係るカバー支持具１は、図１〜図３に示すように、運搬容器６の上部に配される底部２と、底部２の上側に設けられる支持部３と、を備えている。この底部２には、折り畳まれた防水カバー５を収容可能な収容空間Ｓが形成されている。具体的に、底部２は、平面略長方形状（又は略正方形状）の箱状で且つ運搬容器６の上方開口部から荷物７上に載置可能な大きさに形成されている（図６参照）。さらに、底部２の対向する上辺側には、底部２の上方開口部を開閉可能な一対の蓋板９ａ、９ｂが折曲可能に接続されている（図３参照）。
【００２６】
上記支持部３は、図１及び図２に示すように、底部２の対向する上辺側のうちの一方の上辺側に一端側が接続される第１支持板１１ａと、底部２の他方の上辺側に一端側が接続される第２支持板１１ｂと、を備えている。これら第１及び第２支持板１１ａ、１１ｂは、底部２への接続端を軸として折曲可能とされている。また、第１及び第２支持板１１ａ、１１ｂは、平面略長方形状（又は略正方形状）に形成されている。また、第１支持板１１ａの先端側（自由端側）には、図４に示すように、先端に向かって突出する係止突片１２（本発明に係る「係止部」として例示する。）が形成されている。また、第２支持板１１ｂの先端側（自由端側）には、係止突片１２が挿通して係止可能な係止孔１３（本発明に係る「被係止部」として例示する。）が形成されている。これら係止突片１２及び係止孔１３は、各支持板１１ａ、１１ｂの横幅方向（底部２との接続端と平行方向）に沿って複数（図１中２個）形成されている。
【００２７】
そして、図２（ａ）に示すように、係止突片１２が係止孔１３に係止されて第１及び第２支持板１１ａ、１１ｂが縦断面略逆Ｖ字状に組み付けられることで、支持部３が底部２の上方に突出した突出状態Ａとされる。この突出状態Ａの支持部３は、防水カバー５の天井面部５ａが上方に膨らむように支持する（図６及び図７参照）。具体的に、突出状態Ａの支持部３は、防水カバー５の天井面部５ａを、切妻屋根状（すなわち、一対の傾斜面を持つ山形形状）をなして上方に膨らむように支持する（図９（ｂ）参照）。一方、図２（ｂ）に示すように、係止突片１２及び係止孔１３の係止が解除され第１及び第２支持板１１ａ、１１ｂが底部２上で平面状に重ね合わされることで、支持部６が底部２の上方に突出しない非突出状態Ｂとされる。
【００２８】
なお、本実施例では、樹脂製ダンボール又は紙製ダンボールからなるカバー支持具１を採用するものとする。この樹脂製ダンボールは、図５（ａ）に示すように、一対の表面シート部１５ａと、各表面シート部１５ａを連結する複数の立壁部１５ｂと、を備える構成部材１５からなり、一対の表面シート部１５ａの間に複数の中空部が形成されている。また、紙製ダンボールは、図５（ｂ）に示すように、一対の表面シート材１６ａと、各表面シート材１６ａの間に接合される波状シート材１６ｂと、を備える構成部材１６からなり、一対の表面シート材１６ａの間に複数の中空部が形成されている。
【００２９】
（２）荷物防水構造物の構成
本実施例に係る荷物防水構造物１８は、図６及び図７に示すように、荷物７を収容した運搬容器６と、運搬容器６の上部に配された上述のカバー支持具１と、運搬容器６に上方から被せられた防水カバー５と、を備えている。このカバー支持具１は、その底部２が荷物７上に載置され、その支持部３が突出状態Ａとされている。なお、上記防水カバー５は、各側面部５ｂの横縁側にチャック式ファスナや面ファスナ等からなる開閉留め具１９が設けられている（図９参照）。そして、運搬容器６に被せられた防水カバー５では、各側面部５ｂの隣接する横縁側が開閉留め具１９で閉じられる。
【００３０】
（３）荷物運搬方法
次に、上記カバー支持具１を用いた荷物運搬方法について説明する。なお、本実施例では、所定の運搬元Ｐから所定の運搬先Ｑまで荷物を運搬する際に、運搬元Ｐで運搬前の準備作業が行われるとともに、運搬先Ｑで運搬後の片付準備が行われるものとする。
【００３１】
先ず、運搬元Ｐでの準備作業について説明する。運搬元Ｐでは、図８（ａ）に示すように、支持部３が非突出状態Ｂとされたカバー支持具１が段積状に保管されている。これら各カバー支持具１の底部２内には、折り畳まれた防水カバー５が収容されている。そして、保管されたカバー支持具１のうちから、運搬予定の運搬容器６の個数に応じてカバー支持具１を用意する。次に、図８（ｂ）に示すように、カバー支持具１の支持板１１ａ、１１ｂ及び蓋板９ａ、９ｂを開いて底部２内から防水カバー５を取り出す。次に、図８（ｃ）に示すように、第１及び第２支持板１１ａ、１１ｂを組み付けて支持部３を突出状態Ａとしておく。次いで、図９（ａ）に示すように、運搬容器６内の荷物７上にカバー支持具１の底部２を載置し、運搬容器６に上方開口部を覆うように上方から防水カバー５を被せる。その結果、図９（ｂ）に示すように、上述の荷物防水構造物１８（図６及び図７参照）が得られる。
【００３２】
次に、運搬先Ｑでの片付作業について説明する。運搬元Ｐで得られた荷物防水構造物１８は、トラック（図示省略）により運搬先Ｑに運搬されて積み降ろされる。そして、図１０（ａ）に示すように、運搬容器６から防水カバー５及びカバー支持具１を順に取り外す。次に、図１０（ｂ）に示すように、カバー支持具１の支持板１１ａ、１１ｂ及び蓋板９ａ、９ｂを開いて底部２内に折り畳んだ防水カバー５を収容する。次いで、図１０（ｃ）に示すように、カバー支持具１の支持板１１ａ、１１ｂ及び蓋板９ａ、９ｂを閉じて、第１及び第２支持板１１ａ、１１ｂを重ね合わせて支持部３を非突出状態Ｂとする。その後、カバー支持具１は、トラックの荷台に多段状に積載されて運搬元Ｐに戻される。
【００３３】
（４）カバー支持具の作用
次に、上記構成のカバー支持具１の作用について説明する。上述のような運搬元Ｐで得られた荷物防水構造物１８は、運搬元Ｐで適当な期間の間保管され、トラックの荷台へ積載されて運搬元Ｐから運搬先Ｑに運搬される。その保管中やトラックの荷台へ積載作業時に、雨水が防水カバー５にかかることがあっても、防水カバー５の天井面部５ａが上方に膨らんでいるので、防水カバー５の天井面部５ａに雨水が溜りにくい。よって、運搬先Ｑで運搬容器６から防水カバー５を取り外す際に運搬容器６内の荷物７に雨水がかかることが抑制される。一方、運搬元Ｐで運搬容器６に取り付けられる前のカバー支持具１（図８（ａ）参照）や運搬先Ｑで運搬容器６から取り外されたカバー支持具１（図１０（ｃ）参照）においては、その底部２内に折り畳まれた防水カバー５が収容されるとともに、支持部３を非突出状態Ｂとすることで全体サイズが縮小されている。
【００３４】
（５）実施例の効果
本実施例のカバー支持具１によると、運搬容器６の上部に配される底部２と、底部２の上側に設けられて防水カバー５を天井面部５ａが上方に膨らむように支持する支持部３と、を備え、支持部３は、防水カバー５を支持する上方に突出した突出状態Ａと、上方に突出しない非突出状態Ｂと、に変更可能である。そして、底部２には、折り畳まれた防水カバー５を収容可能な収容空間Ｓが形成されている。これにより、運搬容器６にカバー支持具１及び防水カバー５を配して荷物防水構造物１８を構成する際には、突出状態Ａの支持部３により防水カバー５の天井面部５ａが上方に膨らむように支持される。よって、防水カバー５の天井面部５ａに雨水が溜りにくく、運搬容器６から防水カバー５を取り外す際に運搬容器６内の荷物７に雨水がかかることが抑制される。一方、運搬容器６から取り外されたカバー支持具１の支持部３を非突出状態Ｂとすることで、カバー支持具１の全体サイズが縮小される。よって、非使用時のカバー支持具１の保管性及び運搬性が高められる。また、運搬容器６から取り外された防水カバー５を折り畳んで底部２内に収容できるので、非使用時の防水カバー５の保管性及び運搬性が高められる。
【００３５】
また、本実施例のカバー支持具１では、支持部３が第１及び第２支持板１１ａ、１１ｂを備え、第１及び第２支持板１１ａ、１１ｂが縦断面略逆Ｖ字状に組み立てられることで支持部３が突出状態Ａとされ、第１及び第２支持板１１ａ、１１ｂが底部２上で平面状に重ね合わされることで支持部３が非突出状態Ｂとされる。これにより、突出状態Ａと非突出状態Ｂとに容易に変更できる簡易な構造の支持部３を提供できる。また、支持部３の突出状態Ａでは、第１及び第２支持板１１ａ、１１ｂが縦断面略逆Ｖ字状に組み立てられるので、支持部３の強度が高められて防水カバー５を安定的に支持できる。さらに、支持部３の非突出状態Ｂでは、第１及び第２支持板１１ａ、１１ｂが底部２上で重ね合わされて平面状とされるので、非使用時のカバー支持具１の保管性及び運搬性が更に高められる。
【００３６】
また、本実施例のカバー支持具１では、第１及び第２支持板１１ａ、１１ｂの各一端側が底部２に接続され、第１支持板１１ａの先端側に係止突片１２が形成され、第２支持板１１ｂの先端側に係止孔１３が形成され、係止突片１２及び係止孔１３の係止により支持部３が突出状態Ａとされ、係止突片１２及び係止孔１３の係止解除により支持部３が非突出状態Ｂとされる。これにより、支持部３を突出状態Ａと非突出状態Ｂとに更に容易に変更できる。さらに、係止突片１２及び係止孔１３を容易に係止及び解除できる。
【００３７】
さらに、本実施例のカバー支持具１では、樹脂製段ボール又は紙製段ボールからなる。これにより、軽量且つ高強度のカバー支持具１を提供できる。
【００３８】
＜変形例１＞
次に、変形例１に係るカバー支持具について説明するが、上記実施例に係るカバー支持具１と略同じ構成部位には同符号を付けて詳説を省略し、両者の主な相違点について詳説する。
【００３９】
本変形例１に係るカバー支持具１Ａは、図１１及び図１２に示すように、底部２及び支持部３を備えている。この支持部３を構成する第２支持板１１ｂの先端側には、係止孔１３が形成されている。この第２支持板１１ｂの係止孔１３より接続端寄り側には、係止突片１２が挿通して係止される副係止孔１３ａが形成されている。そして、係止突片１２が係止孔１３に係止されたときの支持部３の突出高さｈ１は、係止突片１２が副係止孔１３ａに係止されたときの支持部３の突出高さｈ２より大きくなる。よって、運搬容器６内の荷物量が比較的少ない場合には、係止突片１２を係止孔１３に係止させて支持部３を突出高さｈ１の突出状態Ａとする。一方、運搬容器６内の荷物量が比較的多い場合には、係止突片１２を副係止孔１３ａに係止させて支持部３を突出高さｈ２の突出状態Ａとする。
【００４０】
本変形例１のカバー支持具１Ａによると、上記実施例のカバー支持具１と略同じ作用・効果を奏することに加えて、第２支持板１１ｂの係止孔１３より接続端寄り側には、係止突片１２が挿通して係止される副係止孔１３ａが形成されているので、係止突片１２が係止される係止孔１３及び副係止孔１３ａを変えることで支持部３の突出高さが変更される。よって、運搬容器６内の荷物量に応じて、支持部３の突出高さｈ１、ｈ２を変更して運搬容器６内の荷物７上に底部２を載置することで、防水カバー５の天井面部５ａを最適な膨出状態として支持できる。
【００４１】
＜変形例２＞
次に、変形例２に係るカバー支持具について説明するが、上記実施例に係るカバー支持具１と略同じ構成部位には同符号を付けて詳説を省略し、両者の主な相違点について詳説する。
【００４２】
本変形例２に係るカバー支持具１Ｂは、図１３及び図１４に示すように、底部２及び支持部３を備えている。この底部２内には、折り畳まれた防水カバー５を収容可能な内箱２１が収容されている。この内箱２１は、上方を開放した平面略長方形状（又は略正方形状）の箱状に形成されている。そして、内箱２１は、運搬容器６内の荷物７上に載置される底部２の嵩上げのために使用可能とされている。具体的に、運搬容器６内の荷物量が比較的多い場合には、運搬容器６内の荷物７上に底部２を直接載置してカバー支持具１を配する。一方、運搬容器６内の荷物量が比較的少ない場合には、底部２から内箱２１を取り出して内箱２１を介して運搬容器６内の荷物７上に底部２を載置してカバー支持具１を配する。
【００４３】
本変形例２のカバー支持具１Ｂによると、上記実施例のカバー支持具１と略同じ作用・効果を奏することに加えて、底部２内に、折り畳まれた防水カバー５を収容可能な内箱２１が収容されており、底部２が、内箱２１を介して運搬容器６内の荷物７上に載置可能であるので、運搬容器６内の荷物量に応じて、嵩上げ用の内箱２１の使用の有無を選択して運搬容器６内の荷物７上に底部２を載置することで、防水カバー５の天井面部５ａを最適な膨出状態として支持できる。
【００４４】
＜変形例３＞
次に、変形例３に係るカバー支持具について説明するが、上記実施例に係るカバー支持具１と略同じ構成部位には同符号を付けて詳説を省略し、両者の主な相違点について詳説する。
【００４５】
本変形例３に係るカバー支持具１Ｃは、図１５に示すように、底部２及び支持部３を備えている。この底部２には、運搬容器６を構成する上枠６ａに係合可能な樹脂製又は金属製の係合部材２３（本発明に係る「係合部」として例示する。）が取り付けられている。この係合部材２３は、上枠６ａに引っ掛かるフック部２３ａと、底部２に形成された孔部に挿通されて底部２の内壁に係止する縦断面略Ｌ字状の抜止部２３ｂと、フック部２３ａ及び抜止部２３ｂを連絡する連絡部２３ｃと、を備えている。
【００４６】
本変形例３のカバー支持具１Ｃによると、上記実施例のカバー支持具１と略同じ作用・効果を奏することに加えて、底部２には、運搬容器６を構成する上枠６ａに係合可能な係合部材２３が設けられているので、運搬容器６の上枠６ａへの係合部材２３の係合により運搬容器６にカバー支持具１が取り付けられる。よって、運搬容器６内の荷物量に関わらず、防水カバー５の天井面部５ａを最適な膨出状態として支持できる。
【００４７】
尚、本発明においては、上記実施例及び変形例に限られず、目的、用途に応じて本発明の範囲内で種々変更した実施例とすることができる。すなわち、上記実施例及び変形例では、第１及び第２支持板１１ａ、１１ｂを有する支持部３を備えるカバー支持具１を例示したが、これに限定されず、例えば、図１６に示すように、底部２に立設可能な支柱３５を有する支持部３’を備えるカバー支持具１ａとしてもよい。この場合、例えば、底部２の取付孔２ａに支柱３５を装着することで支持部３’が突出状態Ａとされ、底部２の取付孔２ａから支柱３５を取り出して底部２内に収容することで支持部３’が非突出状態Ｂとされる。
【００４８】
また、上記実施例及び変形例では、底部２に接続された第１及び第２支持板１１ａ、１１ｂを有する支持部３を備えるカバー支持具１を例示したが、これに限定されず、例えば、図１７に示すように、底部２の上辺側に折曲可能に接続された第１支持板１１ａと、第１支持板１１ａの先端側に折曲可能に接続された第２支持板１１ｂと、を有する支持部３"を備えるカバー支持具１ｂとしてもよい。この場合、例えば、支持部３"の突出状態Ａでは、第２支持板１１ｂの先端側が底部２の係止孔２ｂに係止されて第１及び第２支持板１１ａ、１１ｂが組み立てられる。
【００４９】
また、上記実施例及び変形例では、平面略長方形又は略正方形の支持板１１ａ、１１ｂを備えるカバー支持具１を例示したが、これに限定されず、例えば、図１８に示すように、平面略三角形の支持板１１ａ、１１ｂを備えるカバー支持具１ｃとしてもよい。この場合、支持部３の突出状態Ａでは、防水カバー５の天井面部５ａは上方に錐状に膨らむように支持される。
【００５０】
また、上記実施例及び変形例では、係止部としての突出突片１２を被係止部としての係止孔１３に挿通係止して第１及び第２支持板１１ａ、１１ｂを組み付けるようにしたが、これに限定されず、例えば、図１９に示すように、第１支持板１１ａの先端突片の基部に係止部としてのスリット３７を形成し、第２支持板１１ｂの先端突片の基部に被係止部としてのスリット３８を形成し、各スリット３７、３８を噛み合わせることで第１及び第２支持板１１ａ、１１ｂを組み付けるようにしてもよい。
【００５１】
また、上記実施例及び変形例では、２つの支持板１１ａ、１１ｂを備える支持部３を例示したが、これに限定されず、例えば、３以上の支持板を備える支持部としてもよい。さらに、上記実施例及び変形例では、防水カバー５の天井面部５ａを切妻屋根状に膨らむように支持する支持部３を例示したが、これに限定されず、例えば、防水カバー５の天井面部５ａを角錐状、円錐状、ドーム状、片流れ屋根状等に膨らむように支持する支持部としてもよい。
【００５２】
また、上記実施例及び変形例では、網かごである運搬容器６を例示したが、これに限定されず、例えば、通い箱、パレット等の運搬容器としてもよい。なお、上記実施例及び変形例における荷物の種類、個数、量等は特に問わない。
【００５３】
さらに、上記変形例１では、支持板１１ｂに１つの副係止孔１３ａを形成するようにしたが、これに限定されず、例えば、支持板１１ｂの延設方向に沿って複数の副係止孔１３ａを形成するようにしてもよい。また、上記変形例２では、底部２内に１つの嵩上げ用の内箱２１を収容するようにしたが、これに限定されず、例えば、底部２内に２以上の嵩上げ用の内箱２１を重ねて収容するようにしてもよい。さらに、上記変形例３では、底部２に別体の係合部材２３を取り付けるようにしたが、これに限定されず、例えば、底部２の一部で運搬容器６の上枠６ａに係合する係合部を構成するようにしてもよい。
【００５４】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５５】
本発明は上記で詳述した実施形態に限定されず、本発明の請求項に示した範囲で様々な変形または変更が可能である。
【産業上の利用可能性】
【００５６】
運搬容器に被せられる防水カバーの天井面部を支持する技術として広く利用される。
【符号の説明】
【００５７】
１，１Ａ〜１Ｃ，１ａ〜１ｃ；カバー支持具、２；底部、３，３’，３"；支持部、５；防水カバー、５ａ；天井面部、６；運搬容器、７；荷物、１１ａ；第１支持板、１１ｂ；第２支持板、１２；係止突片、１３；係止孔、１３ａ；副係止孔、１８；荷物防水構造物、２１；内箱、２３；係合部材、Ａ；突出状態、Ｂ；非突出状態。
【図１】
0006446632.tif 000002
【図２】
0006446632.tif 000003
【図３】
0006446632.tif 000004
【図４】
0006446632.tif 000005
【図５】
0006446632.tif 000006
【図６】
0006446632.tif 000007
【図７】
0006446632.tif 000008
【図８】
0006446632.tif 000009
【図９】
0006446632.tif 000010
【図１０】
0006446632.tif 000011
【図１１】
0006446632.tif 000012
【図１２】
0006446632.tif 000013
【図１３】
0006446632.tif 000014
【図１４】
0006446632.tif 000015
【図１５】
0006446632.tif 000016
【図１６】
0006446632.tif 000017
【図１７】
0006446632.tif 000018
【図１８】
0006446632.tif 000019
【図１９】
0006446632.tif 000020